(57)【要約】【課題】  特に位置決め及び制限機能を具備し、且つ水平回転及び垂直転動可能な２軸ヒンジを提供する。【解決手段】  第１連結部材（１０）と、第１連結部材（１０）に取り付けられる第１枢軸（２０）と、第１枢軸（２０）に、貫通された状態で且つ該第１枢軸（２０）に対して水平回転可能に取り付けられる第２枢軸（４０）と、第２枢軸（４０）に、該第２枢軸（４０）に対して転動可能に取り付けられる第２連結部材（３０）と、位置決め及び制限部材とを含むことを特徴とする。【選択図】  図２
0003133534.tif 000002
【実用新案登録請求の範囲】
【請求項１】
第１連結部材（１０）と、
前記第１連結部材（１０）に取り付けられ、周面に２つの対向する制止切欠き部（２１）が形成される第１枢軸（２０）と、
前記第１枢軸（２０）に対し水平回転可能に取り付けられ、第１枢軸（２０）の中心軸が貫通する中心孔（４０４）が形成される設置溝（４０３）を有する第２枢軸（４０）と、
前記第２枢軸（４０）に対して転動可能に取り付けられ、前記第１枢軸（２０）の両側と対応する位置にそれぞれ対向する突出状の制止プレート（３２１）が設けられる第２連結部材（３０）と、
位置決め及び制限部材とを含み、
前記位置決め及び制限部材は、第２枢軸（４０）の設置溝（４０３）内に固設され、第１枢軸（２０）を貫通する貫通孔（５０１）を有し、位置決め溝（５０２）が設けられると共に、上方へ向かってストッパー（５０３）が設けられる固定座（５０）と、
前記固定座（５０）上から第１枢軸（２０）に対して摺動可能であるが、回転不能となるように環装されると共に、少なくとも１つの、固定座（５０）の位置決め溝（５０２）と対応する位置決めブロック（５１３）が設けられる位置決めリング（５１）と、
前記第１枢軸（２０）の上端且つ位置決めリング（５１）の上部に位置すると共に、固定座（５０）のストッパー（５０３）に係止される制限凸部（５２３）が設けられる制限リング（５２）と、
前記制限リング（５２）に固定座（５０）のストッパー（５０３）に係止される制限凸部（５２３）が設けられ、制限リング（５２）と位置決めリング（５１）との間に第１枢軸（２０）に環装される少なくとも１つの皿バネ（５３）とが設けられることを特徴とする２軸ヒンジ。
【請求項２】
前記第１枢軸（２０）に第２枢軸（４０）を支持するリング状当接部（２３）が設けられ、
前記第２連結部材（３０）は、第２枢軸（４０）に嵌め込まれる２つの軸管（３２）を有する連結プレート（３１）を含み、２つの該軸管（３２）はそれぞれ第２枢軸（４０）に対して転動するように、且つ第１枢軸（２０）の両側に位置するように、該第２枢軸（４０）に環装されると共に、前記対向する制止プレート（３２１）がそれぞれ対応する各軸管（３２）の内側へ延出し、
前記第２連結部材（３０）における一方の軸管（３２）の外側端にC字形の凸縁（３２３）が延設され、前記第２枢軸（４０）の一端に軸管（３２）の外側端に当接する、径方向に広がる形状を呈する当接縁（４０１）が設けられると共に、他端に制限リング（４１）が固設される凸ブロック（４０２）が凸設され、該制限リング（４１）に凸縁（３２３）に当接する制止凸部（４１３）が設けられ、
第２連結部材（３０a）は、離間した２つの部材からなり、それらの部材にはそれぞれ連結プレート（３１a）と軸管（３２a）を有し、そのうちの各軸管（３２a）はそれぞれ前記第２枢軸（４０a）に対して転動可能に、且つ前記第１枢軸（２０）の両側に位置するように該第２枢軸（４０a）に環装されると共に、対向する複数の制止プレート（３２１）がそれぞれ対応する各軸管（３２a）の内側端から内側に向かって延出し、一方各連結プレート（３１a）がそれぞれ対応する各軸管（３２a）の外側端から外側へ向かって延出し、
前記各軸管（３２a）にはそれぞれ円弧状貫通孔（３２５）が形成されると共に、前記第２枢軸（４０a）には該２つの円弧状貫通孔（３２５）と対応し、制止ピン（４０６）を受け入れる２つの貫通孔（４０５）がそれぞれ形成され、該各制止ピン（４０６）の一端が対応する貫通孔（４０５）を貫通して円弧状貫通孔（３２５）に突出することを特徴とする請求項１に記載の２軸ヒンジ。
【請求項３】
第２連結部材（３０b）は、制限部材と位置決め部材を有し、そのうち制限部材は、非円形ロッド（４０７）が設けられる第２枢軸（４０b）に転動可能に環装され、内側端に制止プレート（３２１）が延設されると共に、外側端に連結プレート（３１a）が延設される軸管（３２a）を有し、
前記位置決め部材は、内側端に上方へ延出して第２枢軸（４０b）に環装される連結リング（３１５）と、
前記連結リング（３１５）の外側に設けられ、複数の爪部を有し、外側面に複数の係合凸部（３４１）が設けられ、該複数の係合凸部（３４１）の間に係合溝が形成される固定リング（３４）と、
前記固定リング（３４）の外側に設けられ、内側面に固定リング（３４）の複数の係合凸部（３４１）と係合し合う複数の係合凹部（３５１）が形成され、該複数の係合凹部（３５１）の間に固定リング（３４）における係合溝と係合し合う複数の係合部が設けられると共に、前記非円形ロッド（４０７）を貫通させるための非円形孔を有する、第２枢軸（４０b）に対して摺動可能であるが、回転不能な位置決めリング（３５）と、
前記位置決めリング（３５）の外側に設けられる連結プレート（３１b）と、
前記連結リング（３１５）の内側における第２枢軸（４０b）上に環装され、制止プレート（３３１）が延設されると共に、固定リング（３４）における複数の爪部が係合される制止リング（３３）と、
前記第２枢軸（４０b）上における、位置決めリング（３５）の外側に環装される少なくとも１つの皿バネ（３６）と、
前記皿バネ（３６）の外側における、第２枢軸（４０b）上に固設される固定部材（４３）とを有することを特徴とする請求項２に記載の２軸ヒンジ。
【考案の詳細な説明】
【技術分野】
【０００１】
本考案は、特に位置決め及び制限機能を具備し、且つ水平回転及び垂直転動可能な２軸ヒンジに関するものである。
【背景技術】
【０００２】
従来のヒンジは、各種機械や例えば、表示器や携帯電話、デジタルカメラ、ビデオカメラなどの電子装置などに広く用いられている。
【考案の開示】
【考案が解決しようとする課題】
【０００３】
前記従来のヒンジには、１軸ヒンジ以外に、水平回転及び垂直転動可能な２軸ヒンジも有するが、該２軸ヒンジは、多段式の位置決め及び制限効果を共に提供するものは少なく、即ち該ヒンジは、複雑な部材を狭い空間の中に緊密に配置することができないことから、小型化を達成することが難しいので、年々小型化する携帯電話やデジタルビデオカメラなどの電子装置に適用できないという問題があった。
【課題を解決するための手段】
【０００４】
本考案の請求項１は、第１連結部材（１０）と、
前記第１連結部材（１０）に取り付けられ、周面に２つの対向する制止切欠き部（２１）が形成される第１枢軸（２０）と、
前記第１枢軸（２０）に対し水平回転可能に取り付けられ、第１枢軸（２０）の中心軸が貫通する中心孔（４０４）が形成される設置溝（４０３）を有する第２枢軸（４０）と、
前記第２枢軸（４０）に対して転動可能に取り付けられ、前記第１枢軸（２０）の両側と対応する位置にそれぞれ対向する突出状の制止プレート（３２１）が設けられる第２連結部材（３０）と、
位置決め及び制限部材とを含み、
前記位置決め及び制限部材は、第２枢軸（４０）の設置溝（４０３）内に固設され、第１枢軸（２０）を貫通する貫通孔（５０１）を有し、位置決め溝（５０２）が設けられると共に、上方へ向かってストッパー（５０３）が設けられる固定座（５０）と、
前記固定座（５０）上から第１枢軸（２０）に対して摺動可能であるが、回転不能であと共に、少なくとも１つの、固定座（５０）の位置決め溝（５０２）と対応する位置決めブロック（５１３）が設けられる位置決めリング（５１）と、
前記第１枢軸（２０）の上端且つ位置決めリング（５１）の上部に位置する制限リング（５２）と、
前記制限リング（５２）に固定座（５０）のストッパー（５０３）に係止される制限凸部（５２３）が設けられ、制限リング（５２）と位置決めリング（５１）との間に第１枢軸（２０）に環装される少なくとも１つの皿バネ（５３）とが設けられることを特徴とする２軸ヒンジを提供するものであり、
本考案の請求項２は、前記第１枢軸（２０）に第２枢軸（４０）を支持するリング状当接部（２３）が設けられ、
前記第２連結部材（３０）は、第２枢軸（４０）に嵌め込まれる２つの軸管（３２）を有する連結プレート（３１）を含み、該軸管（３２）は、第２枢軸（４０）に対して転動するように、且つ第１枢軸（２０）の両側に位置するように、該第２枢軸（４０）に嵌め込まれると共に、前記相対する制止プレート（３２１）がそれぞれ軸管（３２）の内側へ延出し、
前記第２連結部材（３０）における一方の軸管（３２）の外側端にC字形の凸縁（３２３）が延設され、前記第２枢軸（４０）の一端に軸管（３２）の外側端に当接する、径方向に広がる形状を呈する当接縁（４０１）が設けられると共に、他端に制限リング（４１）が固設される凸ブロック（４０２）が凸設され、該制限リング（４１）に凸縁（３２３）に当接する制止凸部（４１３）が設けられ、
第２連結部材（３０a）は、離間した２つの部材からなり、それらの部材にはそれぞれ連結プレート（３１a）と軸管（３２a）を有し、そのうちの各軸管（３２a）はそれぞれ前記第２枢軸（４０a）に対して転動可能に、且つ前記第１枢軸（２０）の両側に位置するように該第２枢軸（４０a）に嵌め込まれると共に、相対する複数の制止プレート（３２１）がそれぞれ軸管（３２a）の内側端から内側に向かって延出し、一方各連結プレート（３１a）がそれぞれ軸管（３２a）の外側端から外側へ向かって延出し、
前記各軸管（３２a）にそれぞれ円弧状貫通孔（３２５）が形成されると共に、前記第２枢軸（４０a）に該２つの円弧状貫通孔（３２５）と対応し、制止ピン（４０６）を受け入れる貫通孔（４０５）が形成され、該各制止ピン（４０６）の一端が貫通孔（４０５）を貫通して円弧状貫通孔（３２５）に突出することを特徴とする請求項１に記載の２軸ヒンジを提供するものであり、
本考案の請求項３は、第２連結部材（３０b）は、制限部材と位置決め部材を有し、そのうち制限部材は、非円形ロッド（４０７）が設けられる第２枢軸（４０b）に転動可能に環装され、内側端に制止プレート（３２１）が延設されると共に、外側端に連結プレート（３１a）が延設される軸管（３２a）を有し、
前記位置決め部材は、内側端に上方へ延出して第２枢軸（４０b）に環装される連結リング（３１５）と、
前記連結リング（３１５）の外側に設けられ、複数の爪部を有し、外側面に複数の係合凸部（３４１）が設けられ、該複数の係合凸部（３４１）の間に係合溝が形成される固定リング（３４）と、
前記固定リング（３４）の外側に設けられ、内側面に固定リング（３４）の複数の係合凸部（３４１）と係合し合う複数の係合凹部（３５１）が形成され、該複数の係合凹部（３５１）の間に固定リング（３４）における係合溝と係合し合う複数の係合部が設けられると共に、前記非円形ロッド（４０７）を貫通させるための非円形孔を有する、第２枢軸（４０b）に対して摺動可能であるが、回転不能な位置決めリング（３５）と、
前記位置決めリング（３５）の外側に設けられる連結プレート（３１b）と、
前記連結リング（３１５）の内側における第２枢軸（４０b）上に環装され、制止プレート（３３１）が延設されると共に、固定リング（３４）における複数の爪部が係合される制止リング（３３）と、
前記第２枢軸（４０b）上における、位置決めリング（３５）の外側に環装される少なくとも１つの皿バネ（３６）と、
前記皿バネ（３６）の外側における、第２枢軸（４０b）上に固設される固定部材（４３）とを有することを特徴とする請求項２に記載の２軸ヒンジを提供するものである。
【考案の効果】
【０００５】
本考案は上記の課題を解決するものであり、第１連結部材と、前記第１連結部材に取り付けられ、周面に２つの対向する制止切欠き部が形成される第１枢軸と、前記第１枢軸に対し水平回転可能に取り付けられ、第１枢軸の中心軸が貫通する中心孔が形成される設置溝を有する第２枢軸と、
前記第２枢軸に対して転動可能に取り付けられ、前記第１枢軸の両側と対応する位置にそれぞれ対向する突出状の制止プレートが設けられる第２連結部材と、位置決め及び制限部材とを含み、前記位置決め及び制限部材は、第２枢軸の設置溝内に固設され、第１枢軸を貫通する貫通孔を有し、位置決め溝が設けられると共に、上方へ向かってストッパーが設けられる固定座と、前記固定座上から第１枢軸に対して摺動可能であるが、回転不能であと共に、少なくとも１つの、固定座の位置決め溝と対応する位置決めブロックが設けられる位置決めリングと、
前記第１枢軸の上端且つ位置決めリングの上部に位置する制限リングと、
前記制限リングに固定座のストッパーに係止される制限凸部が設けられ、制限リングと位置決めリングとの間に第１枢軸に環装される少なくとも１つの皿バネとが設けられ、
前記第１枢軸に第２枢軸を支持するリング状当接部が設けられリング及び制限リングにはそれぞれ非円形ロッドの横断面形状と対応する非円形貫通孔が形成され、
前記第２連結部材は、第２枢軸に嵌め込まれる２つの軸管を有する連結プレートを含み、該軸管は、第２枢軸に対して転動するように、且つ第１枢軸の両側に位置するように、該第２枢軸に嵌め込まれると共に、前記相対する制止プレートがそれぞれ軸管の内側へ延出し、
前記第２連結部材における一方の軸管の外側端にC字形の凸縁が延設され、前記第２枢軸の一端に軸管の外側端に当接する、径方向に広がる形状を呈する当接縁が設けられると共に、他端に制限リングが固設される凸ブロックが凸設され、該制限リングに凸縁に当接する制止凸部が設けられ、
また、第２連結部材は、制限部材と位置決め部材を有し、そのうち制限部材は、非円形ロッドが設けられる第２枢軸に転動可能に環装され、内側端に制止プレートが延設されると共に、外側端に連結プレートが延設される軸管を有し、
前記位置決め部材は、内側端に上方へ延出して第２枢軸に環装される連結リングと、
前記連結リングの外側に設けられ、複数の爪部を有し、外側面に複数の係合凸部が設けられ、該複数の係合凸部の間に係合溝が形成される固定リングと、
前記固定リングの外側に設けられ、内側面に固定リングの複数の係合凸部と係合し合う複数の係合凹部が形成され、該複数の係合凹部の間に固定リングにおける係合溝と係合し合う複数の係合部が設けられると共に、前記非円形ロッドを貫通させるための非円形孔を有する、第２枢軸に対して摺動可能であるが、回転不能な位置決めリングと、
前記位置決めリングの外側に設けられる連結プレートと、
前記連結リングの内側における第２枢軸上に環装され、制止プレートが延設されると共に、固定リングにおける複数の爪部が係合される制止リングと、
前記第２枢軸上における、位置決めリングの外側に環装される少なくとも１つの皿バネと、
前記皿バネの外側における、第２枢軸上に固設される固定部材とを有するので、位置決め及び制限効果を同時に達成できると共に、小型化の問題も解決できる。
【考案を実施するための最良の形態】
【０００６】
以下、添付図面を参照して本考案の好適な実施の形態を詳細に説明する。
【実施例】
【０００７】
図１は本考案に係る２軸ヒンジの第１実施例を示す斜視図であり、図２は本考案に係る２軸ヒンジの第１実施例を他の方向から見た斜視図であり、図３は本考案に係る２軸ヒンジの第１実施例を示す分解斜視図であり、図４は本考案に係る２軸ヒンジの第１実施例の作動状態を示す側面図であり、図５は本考案に係る２軸ヒンジの第１実施例を示す正面図であり、図６は本考案に係る２軸ヒンジの第１実施例の作動状態を示す正面図であり、図７は本考案に係る２軸ヒンジの第１実施例を示す平面図であり、図８は本考案に係る２軸ヒンジの第１実施例の作動状態を示す平面図であり、図９は本考案に係る２軸ヒンジの第２実施例を示す斜視図であり、図１０は本考案に係る２軸ヒンジの第２実施例を示す分解斜視図であり、図１１は本考案に係る２軸ヒンジの第２実施例の部分拡大側面図であり、図１２は本考案に係る２軸ヒンジの第２実施例の作動状態を示す部分拡大側面図であり、図１３は本考案に係る２軸ヒンジの第３実施例を示す斜視図であり、図１４は本考案に係る２軸ヒンジの第３実施例を示す分解斜視図である。     
図１乃至図３に示すように、本考案に係る２軸ヒンジの第１実施例は、第１連結部材（１０）と、第１枢軸（２０）と、第２枢軸（４０）と、第２連結部材（３０）と、位置決め及び制限部材とから成り、
そのうち、該第１連結部材（１０）は、機体（図示せず）上に固設される。     
前記第１枢軸（２０）は、第１連結部材（１０）上に取り付けられ、周面に２つの相対する制止切欠き部（２１）が形成されると共に、上端に上方へ延出する径の小さい非円形ロッド（２２）が設けられ、更に上端における、該非円形ロッド（２２）の周辺にリング状当接部（２３）が設けられる。     
前記第２枢軸（４０）は、T字形を呈するように、且つ前記第１枢軸（２０）に対して水平回転可能に第１枢軸（２０）のリング状当接部（２３）に取り付けられ、一端に径方向に広がる形状を呈する当接縁（４０１）が設けられると共に、他端に制止凸部（４１３）を有する制限リング（４１）が固設される凸ブロック（４０２）が凸設され、更に第２枢軸（４０）における、第１枢軸（２０）が貫通する位置に設置溝（４０３）が形成され、該設置溝（４０３）の中央に第１枢軸（２０）の軸心が貫通する中心孔（４０４）が形成される。     
図５及び図６に示すように、前記第２連結部材（３０）は、前記第２枢軸（４０）に、該第２枢軸（４０）に対して転動可能に取り付けられ、他の機体（図示せず）に固設され、第２枢軸（４０）に嵌め込まれる２つの軸管（３２）を有する連結プレート（３１）を含み、該軸管（３２）は、第２枢軸（４０）に対して転動するように、且つ第１枢軸（２０）の両側に位置するように、該第２枢軸（４０）に嵌め込まれると共に、軸管（３２）の内側端それぞれ第１枢軸（２０）の２つの制止切欠き部（２１）と対応する制止プレート（３２１）が延設される。この構成により、第２連結部材（３０）が所定角度転動したとき、２つの制止プレート（３２１）が第１枢軸（２０）における２つの制止切欠き部（２１）内に進入し、第２枢軸（４０）の第１枢軸（２０）に対する回転を制止する。     
更に、図４に示すように、前記一方の軸管（３２）の外側端に該第２枢軸（４０）に固設される制限リング（４１）の制止凸部（４１３）に制止されるC字形の凸縁（３２３）が延設され、これにより、第２連結部材（３０）の転動角度を水平から垂直の状態となる９０度の範囲内に制限する。     
図３、図７及び図８に示すように、前記位置決め及び制限部材は、第２枢軸（４０）の設置溝（４０３）内に固設され、第１枢軸（２０）を貫通する貫通孔（５０１）を有し、複数の位置決め溝（５０２）が設けられると共に、上方へ向かってストッパー（５０３）が設けられる固定座（５０）と、前記固定座（５０）上から第１枢軸（２０）に、第１枢軸（２０）の非円形ロッド（２２）と対応する非円形貫通孔（５１１）が形成され、該第１枢軸（２０）に対して摺動するが、回転不能であり、底面に少なくとも１つの、固定座（５０）の位置決め溝（５０２）と対応する、即ち位置決め溝（５０２）に係合される位置決めブロック（５１３）が設けられる位置決めリング（５１）と、前記第１枢軸（２０）の上端における、位置決めリング（５１）の上部に非円形ロッド（２２）と対応する非円形貫通孔（５２１）を有する制限リング（５２）と、該制限リング（５２）に固定座（５０）のストッパー（５０３）に係止される制限凸部（５２３）が設けられ、制限リング（５２）と位置決めリング（５１）との間に第１枢軸（２０）に環装される少なくとも１つの皿バネ（５３）が設けられる。この構成により、第２枢軸（４０）が第１枢軸（２０）に対して水平回転するとき、位置決め及び制限部材の固定座（５０）を第１枢軸（２０）に伴って回転させ、回転不能の位置決めリング（５１）を固定する位置決めブロック（５１３）を固定座（５０）における異なる位置決め溝（５０２）に係合させることによって、第２枢軸（４０）の多段式位置決め効果を達成する。更に前記第２枢軸（４０）が所定角度回転したときには、制限リング（５２）を不動状態に固定する制止凸部（５２３）が固定座（５０）のストッパー（５０３）に制止されることにより、第２枢軸（４０）の過度な回転を防ぎ、第２枢軸（４０）の制限効果を達成する。     
図９及び図１０に示すように、本考案に係る２軸ヒンジの第２実施例は、前記第１実施例と殆ど同様であるが、第２枢軸（４０a）及び第２連結部材（３０a）において異なる。     
図１０乃至図１２に示すように、前記第２枢軸（４０a）に横方向に制止ピン（４０６）が突出するように貫設される２つの貫通孔（４０５）が形成され、一方、前記第２連結部材（３０a）は、離間した２つの部材からなり、それらの部材にはそれぞれ連結プレート（３１a）と軸管（３２a）を有し、そのうちの各軸管（３２a）はそれぞれ前記第２枢軸（４０a）に対して転動可能に、且つ前記第１枢軸（２０）の両側に位置するように該第２枢軸（４０a）に嵌め込まれると共に、相対する複数の制止プレート（３２１）がそれぞれ軸管（３２a）の内側端から内側に向かって延出し、更に各軸管（３２a）にそれぞれ円弧状貫通孔（３２５）が形成されると共に、前記第２枢軸（４０a）に該２つの円弧状貫通孔（３２５）と対応し、制止ピン（４０６）を受け入れる貫通孔（４０５）が形成され、該各制止ピン（４０６）の一端が貫通孔（４０５）を貫通して円弧状貫通孔（３２５）に突出する。この構成により、前記第２連結部材（３０a）が所定角度転動したとき、制止ピン（４０６）が円弧状貫通孔（３２５）の内壁に制止され、第２連結部材（３０a）を転動不能にする。また、各軸管（３２a）の内側端に制止プレート（３２１）が延設されると共に、該各軸管（３２a）の外側端にそれぞれ他の機体（図示せず）と結合される連結プレート（３１a）が延設される。     
図１３及び図１４に示すように、本考案に係る２軸ヒンジの第３実施例は、前記第２実施例と殆ど同様であるが、第２枢軸（４０b）及び第２連結部材（３０b）において異なる。     
前記第２枢軸（４０b）に貫通孔（４０５）が形成されると共に、一端に非円形ロッド（４０７）が設けられ、一方、前記第２連結部材（３０b）は、制限部材及び位置決め部材を含み、該制限部材は、前記第２実施例と同様に軸管（３２a）及び連結プレート（３１a）を有し、一方、前記位置決め部材においても第２実施例と同様に第２枢軸（４０b）に組み合わされる転動可能な連結プレート（３１b）を備え、該連結プレート（３１b）の内側端に上方へ延出する形状を呈し、第２枢軸（４０b）の非円形ロッド（４０７）に環装される連結リング（３１５）が設けられ、該連結プレート（３１b）における、連結リング（３１５）の内側に第２枢軸（４０b）の非円形ロッド（４０７）に環装される制止リング（３３）が環装され、該制止リング（３３）の第２連結部材（３０b）側に制止プレート（３３１）が延設されると共に、連結プレート（３１b）における、連結リング（３１５）の外側に第２枢軸（４０b）の非円形ロッド（４０７）に環装される固定リング（３４）が設けられる。更に前記固定リング（３４）に制止リング（３３）に係合される２つの爪部が設けられると共に、非円形孔（符号なし）が形成され、該固定リング（３４）の外側端に複数の係合凸部（３４１）が設けられ、該固定リング（３４）の外側に第２枢軸（４０b）に環装され、摺動するが、回転不能な位置決めリング（３５）が設けられ、該位置決めリング（３５）の内側面に固定リング（３４）の係合凸部（３４１）と係合し合う係合凹部（３５１）が形成され、そして、該第２枢軸（４０b）の非円形ロッド（４０７）における、位置決めリング（３５）の外側に、該位置決めリング（３５）の脱落を防ぐための固定部材（４３）が固設され、該第２枢軸（４０b）の非円形ロッド（４０７）における、位置決めリング（３５）と固定部材（４３）との間に該位置決めリング（３５）を押さえつける少なくとも１つの皿バネ（３６）が環装される。この構成により、前記位置決めリング（３５）と固定リング（３４）における結合部の結合及び離脱を行い、第２連結部材（３０b）の枢転時には、所定角度において位置決めする。     
上述したように、本考案の位置決め及び制限部材は、全て第２枢軸（４０）の設置溝（４０３）内に位置することから、小型化を達成できるので、表示器を備えるデジタルビデオカメラや、折畳式携帯電話などに適用して、多段式の、位置決め効果や制限効果を提供することができる。     
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【０００８】
【図１】本考案に係る２軸ヒンジの第１実施例を示す斜視図である。
【図２】本考案に係る２軸ヒンジの第１実施例を他の方向から見た斜視図である。
【図３】本考案に係る２軸ヒンジの第１実施例を示す分解斜視図である。
【図４】本考案に係る２軸ヒンジの第１実施例の作動状態を示す側面図である。
【図５】本考案に係る２軸ヒンジの第１実施例を示す正面図である。
【図６】本考案に係る２軸ヒンジの第１実施例の作動状態を示す正面図である。
【図７】本考案に係る２軸ヒンジの第１実施例を示す平面図である。
【図８】本考案に係る２軸ヒンジの第１実施例の作動状態を示す平面図である。
【図９】本考案に係る２軸ヒンジの第２実施例を示す斜視図である。
【図１０】本考案に係る２軸ヒンジの第２実施例を示す分解斜視図である。
【図１１】本考案に係る２軸ヒンジの第２実施例の部分拡大側面図である。
【図１２】本考案に係る２軸ヒンジの第２実施例の作動状態を示す部分拡大側面図である。
【図１３】本考案に係る２軸ヒンジの第３実施例を示す斜視図である。
【図１４】本考案に係る２軸ヒンジの第３実施例を示す分解斜視図である。
【符号の説明】
【０００９】
１０        第１連結部材
２０        第１枢軸
２１        制止切欠き部
２２        非円形ロッド
２３        リング状当接部
３０,３０a,３０b    第２連結部材
３１,３１a,３１b        連結プレート
３１５      連結リング
３２,３２a        軸管
３２１      制止プレート
３２３      凸縁
３２５      円弧状貫通孔
３３        制止リング
３３１      制止プレート
３４        固定リング
３４１      係合凸部
３５        位置決めリング
３５１      係合凹部
３６        皿バネ
４０,４０a,４０b      第２枢軸
４０１      当接縁
４０２      凸ブロック
４０３      設置溝
４０４      中心孔
４０５      貫通孔
４０６      制止ピン
４０７      非円形ロッド
４１        制限リング
４１３      制止凸部
４３        固定部材
５０        固定座
５０１      貫通孔
５０２      位置決め溝
５０３      ストッパー
５１        位置決めリング
５１１      非円形貫通孔
５１３      位置決めブロック
５２        制限リング
５２１      非円形貫通孔
５２３      制止凸部
５３        皿バネ
【図１】
0003133534.tif 000003
【図２】
0003133534.tif 000004
【図３】
0003133534.tif 000005
【図４】
0003133534.tif 000006
【図５】
0003133534.tif 000007
【図６】
0003133534.tif 000008
【図７】
0003133534.tif 000009
【図８】
0003133534.tif 000010
【図９】
0003133534.tif 000011
【図１０】
0003133534.tif 000012
【図１１】
0003133534.tif 000013
【図１２】
0003133534.tif 000014
【図１３】
0003133534.tif 000015
【図１４】
0003133534.tif 000016